【手続補正書】
【提出日】平成19年2月6日(2007.2.6)
【手続補正１】
【補正対象書類名】特許請求の範囲
【補正対象項目名】全文
【補正方法】変更
【補正の内容】
【特許請求の範囲】
【請求項１】
被写体を電気的に撮影し、得られた画像データを記憶媒体に記憶する撮影モードと、該記憶された画像を再生表示する再生モードとを有する撮像装置であって、
撮影モードにおいては撮影する画像の画角を、再生モードにおいては表示する画像の倍率をユーザが指示するための画角変更手段と、
再生モードにおいて、前記画角変更手段の操作開始から、操作量が予め設定された閾値を超えるまでは当該操作開始直前の前記画像の倍率を維持し、前記閾値を超えた場合には前記操作量に応じて前記画像の倍率を変更する制御手段と、
前記制御手段により変更された倍率で再生画像を表示する表示手段と
を有することを特徴とする撮像装置。
【請求項２】
前記制御手段は、前記操作量が予め設定された時間内に前記閾値を超えない場合に、前記閾値よりも大きい、第２の閾値を超えるまで前記操作開始直前の前記画像の倍率を維持することを特徴とする請求項１に記載の撮像装置。
【請求項３】
前記制御手段は、前記操作量が前記閾値を超えるか、または前記画角変更手段の操作継続時間が予め設定された時間を経過するまで、前記操作開始直前の前記画像の倍率を維持することを特徴とする請求項１に記載の撮像装置。
【請求項４】
前記制御手段は、撮影モードにおいて、前記画角変更手段の操作開始から、操作量が予め設定された閾値を超えるまで前記操作開始直前の前記画像の画角を維持し、前記閾値を超えた場合には前記操作量に応じて前記画像の画角を変更し、
前記表示手段は、前記制御手段により変更された画角で得られる被写体画像を表示し、
再生モードにおける前記閾値は、撮影モードにおける前記閾値よりも大きいことを特徴とする請求項１乃至３のいずれか１項に記載の撮像装置。
【請求項５】
前記制御手段は、撮影モードにおいて、前記操作量が予め設定された時間内に前記閾値を超えない場合に、前記閾値よりも大きい第３の閾値を超えるまで前記操作開始直前の前記画像の画角を維持することを特徴とする請求項４に記載の撮像装置。
【請求項６】
前記制御手段は、撮影モードにおいて、前記操作量が前記閾値を超えるか、または前記画角変更手段の操作継続時間が予め設定された時間を経過するまで、前記操作開始直前の前記画像の画角を維持することを特徴とする請求項４に記載の撮像装置。
【請求項７】
ズームレンズを更に有し、
前記画角変更手段は、前記ズームレンズを駆動するためのズームリングと、ズームリングの回転量を検出するリング回転検出手段とを含み、前記操作量は、前記ズームリングの回転量であることを特徴とする請求項１乃至６のいずれか１項に記載の撮像装置。
【請求項８】
前記画角変更手段は、中心位置から双方向の操作幅を検出可能な操作部材であって、前記操作量は前記画角変更手段の中心位置からの操作幅であることを特徴とする請求項１乃至６のいずれか１項に記載の撮像装置。
【請求項９】
再生モードにおいて、前記表示手段上の表示画像の拡大を指示する拡大指示手段と、
再生モードにおいて、前記表示手段上の表示画像の縮小を指示する縮小指示手段とを更に有し、
前記表示手段は、再生モードにおいて、１画面に１枚の画像を表示する第１の表示方法と、１画面に複数枚の画像を表示する第２の表示方法により表示可能であり、
前記拡大指示手段が操作された時に、第２の表示方法による表示がされている場合には前記第１の表示方法に切り換えて再生画像の表示を行い、それ以外の場合には最大倍率を限度として、指示された倍率に変更して再生画像を表示し、
前記縮小指示手段が操作された時に、第１の表示方法により等倍で表示がされている場合には前記第２の表示方法に切り換えて表示を行い、それ以外の場合には、等倍を限度として、指示された倍率に変更して再生画像を表示することを特徴とする請求項１乃至８のいずれか１項に記載の撮像装置。
【請求項１０】
前記表示手段は、再生モードにおいて、１画面に１枚の画像を表示する第１の表示方法と、１画面に複数枚の画像を表示する第２の表示方法により表示可能であり、
再生モードにおいて前記画角変更手段により倍率の拡大が指示され、前記表示手段が前記第２の表示方法で表示がされている場合に、前記制御手段は、前記画角変更手段の操作量が第４の閾値よりも小さいときには、前記第２の表示方法による表示を維持し、前記第４の閾値を超えたときには第１の表示方法に変更し、
再生モードにおいて前記画角変更手段により倍率の縮小が指示され、前記表示手段が前記第１の表示方法により等倍で表示がされている場合に、前記制御手段は、前記画角変更手段の操作量が前記第４の閾値よりも小さいときには、前記操作開始直前の前記画像の倍率を維持し、前記第４の閾値を超えたときには第２の表示方法に変更し、
前記第４の閾値は、再生モードにおける前記閾値とは異なる値であることを特徴とする請求項１乃至８のいずれか１項に記載の撮像装置。
【請求項１１】
前記制御手段は、前記操作量が予め設定された時間内に前記第４の閾値を超えない場合に、前記第４の閾値よりも大きい第５の閾値を超えるまで前記操作開始直前の前記画像の画角を維持することを特徴とする請求項１０に記載の撮像装置。
【請求項１２】
前記制御手段は、前記操作量が前記第４の閾値を超えるか、または前記画角変更手段の操作継続時間が予め設定された時間を経過するまで、前記操作開始直前の前記画像の画角を維持することを特徴とする請求項１０に記載の撮像装置。
【請求項１３】
被写体を電気的に撮影し、得られた画像データを記憶媒体に記憶する撮影モードと、該記憶された画像を再生表示する再生モードとを有し、撮影モードにおいては撮影する画像の画角を、再生モードにおいては表示する画像の倍率を設定するための画角変更手段と、表示手段とを有する撮像装置の制御方法であって、
前記撮像装置の動作モードを判定する判定工程と、
前記画角変更手段の操作状態を検出する検出工程と、
再生モードにおいて、前記画角変更手段の操作開始から、操作量が予め設定された閾値を超えるまで前記操作開始直前の前記画像の画角を維持し、前記閾値を超えた場合には前記操作量に応じて前記画像の倍率を変更する制御工程と、
前記制御工程において変更された倍率で前記表示手段に再生画像を表示する表示工程と
を有することを特徴とする制御方法。
【請求項１４】
前記制御工程では、前記操作量が予め設定された時間内に前記閾値を超えない場合に、前記閾値よりも大きい、第２の閾値を超えるまで前記操作開始直前の前記画像の倍率を維持することを特徴とする請求項１３に記載の制御方法。
【請求項１５】
前記制御工程では、前記操作量が前記閾値を超えるか、または前記画角変更手段の操作継続時間が予め設定された時間を経過するまで、前記操作開始直前の前記画像の倍率を維持することを特徴とする請求項１３に記載の制御方法。
【請求項１６】
前記制御工程では、撮影モードにおいて、前記画角変更手段の操作開始から、操作量が予め設定された閾値を超えるまで前記操作開始直前の前記画像の画角を維持し、前記閾値を超えた場合には前記操作量に応じて前記画像の画角を変更し、
前記表示工程では、変更された画角で得られる被写体画像を表示し、
再生モードにおける前記閾値は、撮影モードにおける前記閾値よりも大きいことを特徴とする請求項１３乃至１５のいずれか１項に記載の制御方法。
【請求項１７】
前記制御工程では、撮影モードにおいて、前記操作量が予め設定された時間内に前記閾値を超えない場合に、前記閾値よりも大きい第３の閾値を超えるまで前記操作開始直前の前記画像の画角を維持することを特徴とする請求項１６に記載の制御方法。
【請求項１８】
前記制御工程では、撮影モードにおいて、前記操作量が前記閾値を超えるか、または前記画角変更手段の操作継続時間が予め設定された時間を経過するまで、前記操作開始直前の前記画像の画角を維持することを特徴とする請求項１６に記載の制御方法。
【請求項１９】
前記撮像装置はズームレンズを更に有し、
前記画角変更手段は、前記ズームレンズを駆動するためのズームリングと、ズームリングの回転量を検出するリング回転検出手段とを含み、
前記操作量は、前記ズームリングの回転量であることを特徴とする請求項１３乃至１８のいずれか１項に記載の制御方法。
【請求項２０】
前記画角変更手段は、中心位置から双方向の操作幅を検出可能な操作部材であって、前記操作量は前記画角変更手段の中心位置からの操作幅であることを特徴とする請求項１３乃至１８のいずれか１項に記載の制御方法。
【請求項２１】
前記撮像装置は、再生モードにおいて、前記表示工程上の表示画像の拡大を指示する拡大指示手段と、再生モードにおいて、前記表示工程上の表示画像の縮小を指示する縮小指示手段とを更に有し、前記表示手段は、再生モードにおいて、１画面に１枚の画像を表示する第１の表示方法と、１画面に複数枚の画像を表示する第２の表示方法により表示可能であって、
前記拡大指示手段が操作された時に、第２の表示方法による表示がされている場合には前記第１の表示方法に切り換えて再生画像の表示を行い、それ以外の場合には最大倍率を限度として、指示された倍率に変更して再生画像を表示する工程と、
前記縮小指示手段が操作された時に、第１の表示方法により等倍で表示がされている場合には前記第２の表示方法に切り換えて表示を行い、それ以外の場合には、等倍を限度として、指示された倍率に変更して再生画像を表示する工程と
を更に有することを特徴とする請求項１３乃至２０のいずれか１項に記載の制御方法。
【請求項２２】
前記表示手段は、再生モードにおいて、１画面に１枚の画像を表示する第１の表示方法と、１画面に複数枚の画像を表示する第２の表示方法により表示可能であって、
再生モードにおいて前記画角変更手段により倍率の拡大が指示され、前記表示工程において前記第２の表示方法で表示がされている場合に、前記制御工程では、前記画角変更手段の操作量が第４の閾値よりも小さい場合に、前記第２の表示方法による表示を維持し、前記第４の閾値を超えたときには第１の表示方法に変更する工程と、
再生モードにおいて前記画角変更手段により倍率の縮小が指示され、前記表示工程において前記第１の表示方法により等倍で表示がされている場合に、前記画角変更手段の操作量が前記第４の閾値よりも小さいときには、前記制御工程では前記操作開始直前の前記画像の倍率を維持し、前記第４の閾値を超えたときには第２の表示方法に変更する工程とを更に有し、
前記第４の閾値は、再生モードにおける前記閾値とは異なる値であることを特徴とする請求項１３乃至２０のいずれか１項に記載の制御方法。
【請求項２３】
前記制御工程では、前記操作量が予め設定された時間内に前記第４の閾値を超えない場合に、前記第４の閾値よりも大きい第５の閾値を超えるまで前記操作開始直前の前記画像の倍率を維持することを特徴とする請求項２２に記載の制御方法。
【請求項２４】
前記制御工程では、前記操作量が前記第４の閾値を超えるか、または前記画角変更手段の操作継続時間が予め設定された時間を経過するまで、前記操作開始直前の前記画像の倍率を維持することを特徴とする請求項２２に記載の制御方法。
【手続補正２】
【補正対象書類名】明細書
【補正対象項目名】００３３
【補正方法】変更
【補正の内容】
【００３３】
６４はシャッタースイッチＳＷ２で、不図示のシャッターボタンの操作完了でＯＮとなり、撮像素子１４から読み出した信号をＡ／Ｄ変換器１６、メモリ制御部２２を介してメモリ３０に画像データを書き込む露光処理、画像処理部２０やメモリ制御部２２での演算を用いた現像処理、メモリ３０から画像データを読み出し、圧縮伸長部３２で画像圧縮を行い、記録媒体２００或いは２１０に画像データを書き込む記録処理という一連の処理の動作開始を指示する。
【手続補正３】
【補正対象書類名】明細書
【補正対象項目名】００６０
【補正方法】変更
【補正の内容】
【００６０】
ステップＳ４０２でズームリング１０２の操作を検出した場合、ステップＳ４０３に進んでマルチ画像再生中であるかどうかを判断する。マルチ画像再生中であれば、表示の変更を行わずにそのままステップＳ４０１に戻る。即ち、ズームリング１０２の操作によるマルチ画像再生表示から単一画像表示への表示変更は行わない。
【手続補正４】
【補正対象書類名】明細書
【補正対象項目名】００７０
【補正方法】変更
【補正の内容】
【００７０】
一方、駆動開始条件を満たした場合、即ち、拡大再生フラグがＯＮの場合には（ステップＳ４０８でＹＥＳ）、ステップＳ４０９でズームリング１０２の回転方向を判断し、テレ方向の場合にはステップＳ４１０に進んで再生画像のJPEG伸長処理を行い、拡大表示を行い、ワイド方向の場合にはステップＳ４１１に進んで拡大倍率を下げて単一画像表示を行う。なお、ステップＳ４１０またはＳ４１１では、ズーム駆動フラグがＯＮになった時から（即ち、基準回転角度Ｒ２またはＲ３に達した時から）の回転動作に応じて拡大倍率を決める。
【手続補正５】
【補正対象書類名】明細書
【補正対象項目名】００８５
【補正方法】変更
【補正の内容】
【００８５】
上述したステップＳ７０５におけるズーム駆動判定処理の結果、駆動開始条件を満たした場合、即ち、ズーム駆動フラグがＯＮの場合には（ステップＳ７０６でＹＥＳ）、ステップＳ７０７でズームレバー１０５の操作方向を判断し、テレ方向の場合にはステップＳ７０８に進んでテレ方向にズーム位置を移動し、ワイド方向の場合にはステップＳ７０９に進んでワイド方向にズーム位置を移動する。なお、ステップＳ７０８またはＳ７０９では、ズーム駆動フラグがＯＮになった時から（即ち、基準操作量Ｖ１に達した時から）の操作に応じてズーム位置を移動する。
【手続補正６】
【補正対象書類名】明細書
【補正対象項目名】０１１１
【補正方法】変更
【補正の内容】
【０１１１】
一方、駆動開始条件を満たした場合、即ち、マルチ画像再生フラグがＯＮの場合には（ステップＳ９１４でＹＥＳ）、ステップＳ９１５に進んでマルチ画像再生を行い、ステップＳ９０１に戻る。